【手続補正書】
【提出日】平成25年1月24日(2013.1.24)
【手続補正１】
【補正対象書類名】明細書
【補正対象項目名】発明の名称
【補正方法】変更
【補正の内容】
【発明の名称】泡消火設備および泡消火設備の制御方法
【手続補正２】
【補正対象書類名】特許請求の範囲
【補正対象項目名】全文
【補正方法】変更
【補正の内容】
【特許請求の範囲】
【請求項１】
泡原液タンク内に貯蔵した泡消火薬剤を消火用水に対して所定割合で混合して消火用泡水溶液を生成する泡水溶液生成装置と、該泡水溶液生成装置に前記消火用水を送出する加圧送水装置と、消火活動単位である防護区画毎に配設される複数の泡消火装置と、前記泡水溶液生成装置の二次側を開閉する第１の弁と、該第１の弁の二次側と前記泡消火装置の一次側とを連結する配管に介在するとともに前記防護区画毎にその近傍に配設される第２の弁と、前記加圧送水装置を制御する消火ポンプ制御盤と、前記泡水溶液生成装置と前記第１および第２の弁と前記消火ポンプ制御盤とを制御する泡消火設備制御盤とを備えた泡消火設備において；
前記泡水溶液生成装置は、出口部に設けられて送液される前記消火用泡水溶液の圧力を計測する圧力計測手段および濃度を計測する濃度計測手段と、入口部から流入する前記消火用水に混合する前記泡消火薬剤の送液流量を制御する泡消火薬剤送液制御手段と、を備え、
前記加圧送水装置および前記消火ポンプ制御盤は、前記消火用水の送水流量を制御する機能を備え、
前記泡消火設備制御盤は、
前記防護区画毎に予め定めた、火災時に開放する前記第１および第２の弁と、送液する前記消火用泡水溶液の目標濃度値および目標送液圧力値とを登録する記憶部と、
火災発生時に、前記濃度計測手段の計測値が前記目標濃度値となるように、前記泡消火薬剤送液制御手段をフィードバック制御し、さらに前記圧力計測手段の計測値が前記目標送液圧力値となるように、前記消火ポンプ制御盤を介して前記加圧送水装置の送水流量をフィードバック制御するとともに、火災区画に対応する前記第１および第２の弁を開放する制御部と、
を備えることを特徴とする泡消火設備。
【請求項２】
請求項１において、
前記泡水溶液生成装置は、前記濃度計測手段に代えて入口部から流入する前記消火用水の流量を計測する流量計測手段を備え、
前記泡消火設備制御盤は、
前記前記目標濃度値に代えて予め定めた前記泡消火薬剤と前記消火用水との混合比を登録する記憶部と、
前記濃度計測手段の計測値が前記目標濃度値となるように前記泡消火薬剤送液制御手段をフィードバック制御することに代えて、前記混合比となるように前記流量計測手段の計測値に応じて前記泡消火薬剤送液制御手段を制御する制御部と、
を備えることを特徴とする泡消火設備。
【請求項３】
請求項１または２において、前記加圧送水装置はインバータ制御されることを特徴とする泡消火設備。
【請求項４】
請求項１乃至３のいずれかにおいて、前記泡消火薬剤送液送液制御手段はインバータ制御される泡消火薬剤送液ポンプ、または、流量制御弁であることを特徴とする泡消火設備。
【請求項５】
請求項１乃至４のいずれかにおいて、前記第１の弁が、送出圧力を所定の値に減圧する調圧機能を有する二次圧制御弁であることを特徴とする泡消火設備。
【請求項６】
火災発生時、圧送される消火用水に泡消火薬剤を所定割合で混合して消火用泡水溶液を生成し、火災区画に対応する泡消火装置を選択して、選択された前記泡消火装置へ前記消火用泡水溶液を送液して消火する泡消火設備の制御方法であって；
送液される前記消火用泡水溶液は、濃度または混合比が予め定めた値となるように前記消火用水に混合する前記泡消火薬剤の送液流量がフィードバック制御されるとともに、送液圧力が予め定めた値となるように前記消火用水の送水流量がフィードバック制御されることを特徴とする泡消火設備の制御方法。
【手続補正３】
【補正対象書類名】明細書
【補正対象項目名】００１７
【補正方法】変更
【補正の内容】
【００１７】
（１）本発明に係る泡消火設備は、泡原液タンク内に貯蔵した泡消火薬剤を消火用水に対して所定割合で混合して消火用泡水溶液を生成する泡水溶液生成装置と、該泡水溶液生成装置に前記消火用水を送出する加圧送水装置と、消火活動単位である防護区画毎に配設される複数の泡消火装置と、前記泡水溶液生成装置の二次側を開閉する第１の弁と、該第１の弁の二次側と前記泡消火装置の一次側とを連結する配管に介在するとともに前記防護区画毎にその近傍に配設される第２の弁と、前記加圧送水装置を制御する消火ポンプ制御盤と、前記泡水溶液生成装置と前記第１および第２の弁と前記消火ポンプ制御盤とを制御する泡消火設備制御盤とを備えた泡消火設備において、前記泡水溶液生成装置は、出口部に設けられて送液される前記消火用泡水溶液の圧力を計測する圧力計測手段および濃度を計測する濃度計測手段と、入口部から流入する前記消火用水に混合する前記泡消火薬剤の送液流量を制御する泡消火薬剤送液制御手段と、を備え、前記加圧送水装置および前記消火ポンプ制御盤は、前記消火用水の送水流量を制御する機能を備え、前記泡消火設備制御盤は、前記防護区画毎に予め定めた、火災時に開放する前記第１および第２の弁と、送液する前記消火用泡水溶液の目標濃度値および目標送液圧力値とを登録する記憶部と、火災発生時に、前記濃度計測手段の計測値が前記目標濃度値となるように、前記泡消火薬剤送液制御手段をフィードバック制御し、さらに前記圧力計測手段の計測値が前記目標送液圧力値となるように、前記消火ポンプ制御盤を介して前記加圧送水装置の送水流量をフィードバック制御するとともに、火災区画に対応する前記第１および第２の弁を開放する制御部と、を備えることを特徴とする。
【手続補正４】
【補正対象書類名】明細書
【補正対象項目名】００１８
【補正方法】変更
【補正の内容】
【００１８】
（２）また、本発明に係る泡消火設備は、（１）において、前記泡水溶液生成装置は、前記濃度計測手段に代えて入口部から流入する前記消火用水の流量を計測する流量計測手段を備え、前記泡消火設備制御盤は、前記前記目標濃度値に代えて予め定めた前記泡消火薬剤と前記消火用水との混合比を登録する記憶部と、前記濃度計測手段の計測値が前記目標濃度値となるように前記泡消火薬剤送液制御手段をフィードバック制御することに代えて、前記混合比となるように前記流量計測手段の計測値に応じて前記泡消火薬剤送液制御手段を制御する制御部と、を備えることを特徴とする。
（３）また、本発明に係る泡消火設備は、（１）または（２）において、前記加圧送水装置はインバータ制御されることを特徴とする。
（４）また、本発明に係る泡消火設備は、（１）〜（３）のいずれかにおいて、前記泡消火薬剤送液送液制御手段はインバータ制御される泡消火薬剤送液ポンプ、または、流量制御弁であることを特徴とする。
（５）また、本発明に係る泡消火設備は、（１）〜（４）のいずれかにおいて、前記第１の弁が、送出圧力を所定の値に減圧する調圧機能を有する二次圧制御弁であることを特徴とする。
（６）本発明に係る泡消火設備の制御方法は、火災発生時、圧送される消火用水に泡消火薬剤を所定割合で混合して消火用泡水溶液を生成し、火災区画に対応する泡消火装置を選択して、選択された前記泡消火装置へ前記消火用泡水溶液を送液して消火する泡消火設備の制御方法であって、送液される前記消火用泡水溶液は、濃度または混合比が予め定めた値となるように前記消火用水に混合する前記泡消火薬剤の送液流量がフィードバック制御されるとともに、送液圧力が予め定めた値となるように前記消火用水の送水流量がフィードバック制御されることを特徴とする。